(57)【特許請求の範囲】
【請求項１】
柱の頂部に肘木を介して丸桁を架設するとともに、柱相互間に板壁を設けてなる木造軸組に適用する補強構造であって、
隣合う柱の頂部相互間に横架材を架設して、該横架材を前記板壁の上部と前記丸桁との間に配するとともに、該横架材と前記丸桁との間には前記肘木の高さ分の間隙を確保し、
該間隙内における前記肘木の側部の位置に連結材を配して、該連結材の下部に形成したほぞを前記横架材の上面に形成したほぞ穴に差し込み、かつ該連結材の上部を前記丸桁の下面に形成したほぞ穴に差し込むことによって、該連結材により横架材の端部と丸桁とを水平力を伝達可能に連結することを特徴とする木造軸組における補強構造。
【発明の詳細な説明】
【０００１】
【発明の属する技術分野】
本発明は伝統的な木造軸組に適用する補強構造、特に既存の木造軸組に対して補強を目的として適用して好適な構造に関する。
【０００２】
【従来の技術】
周知のように、寺社建築に代表される我国の伝統的な木造建物は釘等の金物を用いない木造軸組によるものであり、図２にその一例を示す。図２において符号１は柱、２は貫、３は柱頭に設けた肘木、４は肘木を介して柱の頂部間に架設された丸桁（がぎょう）、５は柱１間に力板あるいは力貫を多段に取り付けることで形成された板壁であり、その板壁５と丸桁４との間には若干の間隙が確保されるようになっている。
【０００３】
【発明が解決しようとする課題】
ところで、上記のような木造軸組による既存の木造建物を対象としてその補強を行う場合、従来においては必要箇所を一旦解体し、所望の補強を行った後に当初の状態どうりに復元するようにしており、したがって補強工事に際しては大がかりな解体作業と復元作業が不可欠である。たとえば図２に示した木造軸組に対する補強を行うには、少なくとも丸桁４や肘木３の解体が必要であり、そのためには屋根小屋組の解体も必要となるから、実質的に既存建物の全体に及ぶような大がかりな解体と復元作業が必要となり、したがってそのような補強工事は必ずしも簡易に行い得るものではなかった。
【０００４】
また、寺社等の木造建物を上記のような伝統的な木造軸組により新築しようとする場合においては、伝統的な木造軸組を単にそのまま踏襲することでは現時点で要求される耐震性能や構造的な信頼性を確保できない場合があり、したがって何等かの補強が必要となることも多いのであるが、伝統的な木造軸組の機能や意匠を損なうことなく十分な補強効果が得られる有効適切な手法は確立されていないのが実情である。
【０００５】
上記事情に鑑み、本発明は、伝統的な木造軸組を基本としつつ合理的に補強が可能であり、特に既存の木造建物を補強する際に適用して好適な補強構造を提供することを目的とする。
【０００６】
【課題を解決するための手段】
上記事情に鑑み、本発明は、柱の頂部に肘木を介して丸桁を架設するとともに、柱相互間に板壁を設けてなる木造軸組に適用する補強構造であって、隣合う柱の頂部相互間に横架材を架設して、該横架材を前記板壁の上部と前記丸桁との間に配するとともに、該横架材と前記丸桁との間には前記肘木の高さ分の間隙を確保し、該間隙内における前記肘木の側部の位置に連結材を配して、該連結材の下部に形成したほぞを前記横架材の上面に形成したほぞ穴に差し込み、かつ該連結材の上部を前記丸桁の下面に形成したほぞ穴に差し込むことによって、該連結材により横架材の端部と丸桁とを水平力を伝達可能に連結することを特徴とするものである。
【０００７】
【発明の実施の形態】
図１は本発明の実施形態を示すものである。本実施形態の補強構造は、図２に示した伝統的な木造軸組、すなわち柱１の頂部に肘木３を介して丸桁４を架設し、柱１間に板壁５を設けた木造軸組を対象とするものであって、柱１の頂部相互間に横架材６を架設するとともに、肘木の側部に配した連結材７により横架材６の端部と丸桁４とを水平力を伝達可能に連結したものである。
【０００８】
横架材６は長尺の木材からなる部材であって、その両端部がそれぞれ柱１に対して接合されて板壁５の上部に配されている。連結材７は木板からなる部材であって、その下部に形成されたほぞが横架材６の上面に形成されたほぞ穴に差し込まれ、かつ連結材７の上部が丸桁４の下面に形成されたほぞ穴に差し込まれることで、肘木３の側部において丸桁４と横架材６との間に配されている。したがって、丸桁４と柱１の頂部とはそれら連結材７および横架材６を介して水平力を伝達可能に連結されたものとなっている。
【０００９】
上記構造によれば、柱１の頂部と丸桁４とを横架材６および連結材７を介して連結することにより、地震時に丸桁４に作用する水平力は丸桁４から連結材７および横架材６を介して直接的に柱１の頂部に伝達され、したがって肘木３や板壁５に対する負担が軽減されて優れた補強効果が得られる。特に、既存の木造軸組では肘木３を介しての柱１と丸桁４との接合強度は必ずしも明らかではなく、したがって軸組全体の水平剛性が必ずしも十分ではない場合があるので、上記の補強構造はそのような伝統的な木造軸組の欠点を有効に補い得て耐震性能を向上させることができるものである。
【００１０】
また、上記の補強構造は、在来の木造軸組においては板壁５と丸桁４との間に確保されている間隙を利用してそこに横架材６と連結材７を付加するだけであるから、その構造は簡易であって施工は容易である。特に、既存の木造建物に対する補強を目的とする場合においては既存の木造軸組を解体する必要はないし、また釘等の金物を用いることなく木組のみで軸組に組み込むことが可能であるから、伝統的な木造建物の意匠やその本来的な機能を大きく損なうようなことなく、簡易かつ有効に補強を行うことが可能となる。
【００１１】
したがって、上記の補強構造は、既存の木造建物を対象としてその耐震性能を向上させるための補強手法として最適であるし、また、伝統的な木造軸組による寺社等の木造建物を新築する際にも好適に採用可能である。
【００１２】
なお、横架材６および連結材７の形状や寸法、素材、それらを軸組に対して組み込むための継手の構造は、連結材７を横架材６と丸桁４との間に確保した間隙内において肘木３の側部に配して、その連結材７の下部のほぞを横架材６のほぞ穴に差し込みかつ連結材７の上部を丸桁４のほぞ穴に差し込む限りは上記実施形態に限らず任意であって、所望の補強効果が得られるように適宜設定すれば良い。ただし、たとえば歴史的な木造建物の保存を目的とする場合には既存の木造軸組の意匠や機能を可及的に損なうことのないように考慮すべきではある。
【００１３】
【発明の効果】
本発明の補強構造は、柱の頂部に肘木を介して丸桁を架設し、かつ柱相互間に板壁を設けてなる木造軸組を対象として、隣合う柱の頂部相互間に横架材を架設し、肘木の側部に配した連結材により横架材の端部と丸桁とを水平力を伝達可能に連結するものであり、特に、連結材を横架材と丸桁との間に確保した間隙内において肘木の側部に配して、その連結材の下部に形成したほぞを横架材の上面に形成したほぞ穴に差し込み、かつ連結材の上部を丸桁の下面に形成したほぞ穴に差し込むようにしたので、簡易な構造で優れた補強効果が得られ、施工も容易であり、特に既存の木造建物に対する補強手法として採用すれば、伝統的な木造軸組の意匠や機能を損なうことなく十分な補強効果を得ることが可能である。
【図面の簡単な説明】
【図１】  本発明の実施形態である補強構造を示す図である。
【図２】  伝統的な木造軸組の例を示す図である。
【符号の説明】
１  柱
２  貫
３  肘木
４  丸桁
５  板壁
６  横架材
７  連結材
【図１】
0003777548.tif 000002
【図２】
0003777548.tif 000003